(57)【要約】【課題】ユーザに有効な商品を推薦する。【解決手段】機器５ａから作品の情報を受信し、作品データ記憶部１１から、受信した作品の作品ＩＤを取得する作品情報取得部１１と、作品データ記憶部２１から、前作の作品ＩＤを取得し、広告データ記憶部２３において前作の作品ＩＤに関連づけられた広告ＩＤに、シリーズ推薦度データ記憶部２２から取得した前作の広告を出す推薦度を、再生量ごとに関連づけるとともに、次作の作品ＩＤを取得し、広告データ記憶部２３において次作の作品ＩＤに関連づけられた広告ＩＤに、シリーズ推薦度データ記憶部２２から取得した次作の広告を出す推薦度を、再生量ごとに関連づけるシリーズ作品推薦部１３と、前作の広告ＩＤおよび次作の広告ＩＤのうち、再生量ごとに推薦度の高いものから所定数の広告ＩＤを取得するとともに、広告の情報を取得する商品推薦部１３と、再生量ごとの広告の情報を、機器５ａに送信する広告配信部１５を備える。【選択図】図１
2009135573.tif 000002
【特許請求の範囲】
【請求項１】
作品を再生する機器と、前記作品の情報に基づいて前記機器に広告を配信する情報提供サーバとを備える情報提供システムであって、
前記機器は、
前記作品の情報を前記情報提供サーバに送信するとともに、前記情報提供サーバから、再生量ごとの広告の情報を取得するサーバ通信部と、
前記作品の再生が終了すると、前記作品の再生量に対応する広告の情報を表示する推薦広告表示部
とを備え、
前記情報提供サーバは、
前記機器における前記作品の再生量ごとに、前記作品の前作の広告を出す推薦度と、前記作品の次作の広告を出す推薦度が関連づけられたシリーズ推薦度データ記憶部と、
前記作品の識別子と、前記作品の情報と、前記作品の前作の作品識別子と、次作の作品識別子とが関連づけられた作品データ記憶部と、
広告の広告識別子と、前記広告に関連する前記作品の作品識別子と、前記広告の情報が関連づけられた広告データ記憶部と、
前記機器から前記作品の情報を受信し、前記作品データ記憶部から、受信した前記作品の情報に関連づけられた作品識別子を取得する作品情報取得部と、
前記作品データ記憶部から、前記作品情報取得部によって取得された作品識別子に関連づけられた前記前作の作品識別子を取得し、前記広告データ記憶部において前記前作の作品識別子に関連づけられた前記広告識別子に、前記シリーズ推薦度データ記憶部から取得した前記前作の広告を出す推薦度を、再生量ごとに関連づけるとともに、前記作品データ記憶部から、前記作品情報取得部によって取得された作品識別子に関連づけられた前記次作の作品識別子を取得し、前記広告データ記憶部において前記次作の作品識別子に関連づけられた前記広告識別子に、前記シリーズ推薦度データ記憶部から取得した前記次作の広告を出す推薦度を、再生量ごとに関連づけるシリーズ作品推薦部と、
前記前作の広告識別子および前記次作の広告識別子のうち、前記再生量ごとに前記推薦度の高いものから所定数の広告識別子を取得するとともに、前記広告データ記憶部から、取得した該広告識別子の広告の情報を取得する商品推薦部と、
前記商品推薦部によって取得された、前記再生量ごとの前記広告の情報を、前記機器に送信する広告配信部
とを備えることを特徴とする情報提供システム。
【請求項２】
機器において再生された作品の情報に基づいて、前記機器に広告を配信する情報提供サーバであって、
前記機器における前記作品の再生量ごとに、前記作品の前作の広告を出す推薦度と、前記作品の次作の広告を出す推薦度が関連づけられたシリーズ推薦度データ記憶部と、
前記作品の識別子と、前記作品の情報と、前記作品の前作の作品識別子と、次作の作品識別子とが関連づけられた作品データ記憶部と、
広告の広告識別子と、前記広告に関連する前記作品の作品識別子と、前記広告の情報が関連づけられた広告データ記憶部と、
前記機器から前記作品の情報を受信し、前記作品データ記憶部から、受信した前記作品の情報に関連づけられた作品識別子を取得する作品情報取得部と、
前記作品データ記憶部から、前記作品情報取得部によって取得された作品識別子に関連づけられた前記前作の作品識別子を取得し、前記広告データ記憶部において前記前作の作品識別子に関連づけられた前記広告識別子に、前記シリーズ推薦度データ記憶部から取得した前記前作の広告を出す推薦度を、再生量ごとに関連づけるとともに、前記作品データ記憶部から、前記作品情報取得部によって取得された作品識別子に関連づけられた前記次作の作品識別子を取得し、前記広告データ記憶部において前記次作の作品識別子に関連づけられた前記広告識別子に、前記シリーズ推薦度データ記憶部から取得した前記次作の広告を出す推薦度を、再生量ごとに関連づけるシリーズ作品推薦部と、
前記前作の広告識別子および前記次作の広告識別子のうち、前記再生量ごとに前記推薦度の高いものから所定数の広告識別子を取得するとともに、前記広告データ記憶部から、取得した該広告識別子の広告の情報を取得する商品推薦部と、
前記商品推薦部によって取得された、前記再生量ごとの前記広告の情報を、前記機器に送信する広告配信部
とを備えることを特徴とする情報提供サーバ。
【請求項３】
前記シリーズ推薦度データ記憶部において、前記前作の広告を出す推薦度は、前記再生量が多くなるにつれて低く設定され、前記次作の広告を出す推薦度は、前記再生量が多くなるにつれて高く設定される
ことを特徴とする請求項２に記載の情報提供サーバ。
【請求項４】
前記広告識別子と、再生量ごとの優先度が関連づけられた関連商品優先度データ記憶部と、
前記機器において再生された作品の情報に基づいて、前記広告データ記憶部から前記作品の情報に類似する関連広告の広告識別子を取得するとともに、前記作品の情報と前記広告の情報の類似度と、前記関連商品優先度データ記憶部における優先度とに基づいて、前記関連広告の広告識別子および再生量ごとに、前記関連広告の推薦度を算出する関連商品推薦部とを備え、
前記商品推薦部は、前記前作の広告識別子、前記次作の広告識別子および前記関連広告の広告識別子のうち、前記再生量ごとに前記推薦度の高いものから所定数の広告識別子を取得するとともに、前記広告データ記憶部から、取得した該広告識別子の広告の情報を取得する
ことを特徴とする請求項２または３に記載の情報提供サーバ。
【請求項５】
前記シリーズ推薦度データ記憶部は、前記再生量ごとに、さらに、前記機器において再生された前記作品の広告を出す推薦度が関連づけられ、
前記シリーズ作品推薦部は、さらに、前記広告データ記憶部において前記再生された作品の作品識別子に関連づけられた前記広告識別子に、前記シリーズ推薦度データ記憶部から取得した前記再生された作品の広告を出す推薦度を、再生量ごとに関連づけ、
前記商品推薦部は、前記前作の広告識別子、前記次作の広告識別子、前記再生された作品の広告識別子および前記関連広告の広告識別子のうち、前記再生量ごとに前記推薦度の高いものから所定数の広告識別子を取得するとともに、前記広告データ記憶部から、取得した該広告識別子の広告の情報を取得する
ことを特徴とする請求項２ないし４いずれか１項に記載の情報提供サーバ。
【請求項６】
機器において再生された作品の情報に基づいて、前記機器に広告を配信する情報提供サーバに用いられる情報提供方法であって、
前記機器における前記作品の再生量ごとに、前記作品の前作の広告を出す推薦度と、前記作品の次作の広告を出す推薦度が関連づけられたシリーズ推薦度データを記憶するシリーズ推薦度データ記憶ステップと、
前記作品の識別子と、前記作品の情報と、前記作品の前作の作品識別子と、次作の作品識別子とが関連づけられた作品データを記憶する作品データ記憶ステップと、
広告の広告識別子と、前記広告に関連する前記作品の作品識別子と、前記広告の情報が関連づけられた広告データを記憶する広告データ記憶ステップと、
前記機器から前記作品の情報を受信し、前記作品データから、受信した前記作品の情報に関連づけられた作品識別子を取得する作品情報取得ステップと、
前記作品データから、前記作品情報取得ステップによって取得された作品識別子に関連づけられた前記前作の作品識別子を取得し、前記広告データにおいて前記前作の作品識別子に関連づけられた前記広告識別子に、前記シリーズ推薦度データから取得した前記前作の広告を出す推薦度を、再生量ごとに関連づけるとともに、前記作品データから、前記作品情報取得ステップによって取得された作品識別子に関連づけられた前記次作の作品識別子を取得し、前記広告データにおいて前記次作の作品識別子に関連づけられた前記広告識別子に、前記シリーズ推薦度データから取得した前記次作の広告を出す推薦度を、再生量ごとに関連づけるシリーズ作品推薦ステップと、
前記前作の広告識別子および前記次作の広告識別子のうち、前記再生量ごとに前記推薦度の高いものから所定数の広告識別子を取得するとともに、前記広告データから、取得した該広告識別子の広告の情報を取得する商品推薦ステップと、
前記商品推薦ステップによって取得された、前記再生量ごとの前記広告の情報を、前記機器に送信する広告配信ステップ
とを備えることを特徴とする情報提供方法。
【請求項７】
前記シリーズ推薦度データ記憶ステップにおいて、前記前作の広告を出す推薦度は、前記再生量が多くなるにつれて低く設定され、前記次作の広告を出す推薦度は、前記再生量が多くなるにつれて高く設定される
ことを特徴とする請求項６に記載の情報提供方法。
【請求項８】
前記広告識別子と、再生量ごとの優先度が関連づけられた関連商品優先度データを記憶するステップと、
前記機器において再生された作品の情報に基づいて、前記広告データから前記作品の情報に類似する関連広告の広告識別子を取得するとともに、前記作品の情報と前記広告の情報の類似度と、前記関連商品優先度データにおける優先度とに基づいて、前記関連広告の広告識別子および再生量ごとに、前記関連広告の推薦度を算出する関連商品推薦ステップとを備え、
前記商品推薦ステップは、前記前作の広告識別子、前記次作の広告識別子および前記関連広告の広告識別子のうち、前記再生量ごとに前記推薦度の高いものから所定数の広告識別子を取得するとともに、前記広告データから、取得した該広告識別子の広告の情報を取得する
ことを特徴とする請求項６または７に記載の情報提供方法。
【請求項９】
前記シリーズ推薦度データは、前記再生量ごとに、さらに、前記機器において再生された前記作品の広告を出す推薦度が関連づけられ、
前記シリーズ作品推薦ステップは、さらに、前記広告データにおいて前記再生された作品の作品識別子に関連づけられた前記広告識別子に、前記シリーズ推薦度データから取得した前記再生された作品の広告を出す推薦度を、再生量ごとに関連づけ、
前記商品推薦ステップは、前記前作の広告識別子、前記次作の広告識別子、前記再生された作品の広告識別子および前記関連広告の広告識別子のうち、前記再生量ごとに前記推薦度の高いものから所定数の広告識別子を取得するとともに、前記広告データから、取得した該広告識別子の広告の情報を取得する
ことを特徴とする請求項６ないし８いずれか１項に記載の情報提供方法。
【発明の詳細な説明】
【技術分野】
【０００１】
本発明は、作品を再生する機器と、作品の情報に基づいて機器に広告を配信する情報提供サーバとを備える情報提供システム、情報提供サーバおよび情報提供方法に関する。
【背景技術】
【０００２】
放送を受信してハードディスクに録画したり、ＤＶＤやＣＤなどのメディアを再生したりできる機器が普及しつつある。これらの機器は、さらに、インターネット等の通信ネットワークに接続して、番組表や、個人の嗜好を考慮した推薦番組リスト等を受信できる。
【０００３】
一方、通信ネットワーク上の電子ショッピングも普及していることに伴い、最新の映像コンテンツ商品の情報を、通信ネットワーク上で取得できる。この際ユーザは、キーワードを入力して、インターネット上のショッピングモール等で所望のコンテンツに関する情報を取得することにより、購入することができる。
【０００４】
そこで、機器において再生された作品に基づいて、その作品に関連する広告を配信する方法がある（例えば、特許文献１および２参照）。特許文献１に記載の方法においては、ユーザがクライアントにおいてメディアを再生すると、そのメディアに記憶された作品のタイトルを特定できる特定情報を取得し、この特定情報に関連あるいは付随する広告情報を取得して表示する。また特許文献２に記載の方法においては、ユーザが買い物実行ボタンを押下することにより、作品で紹介された商品や、その作品に関連する広告を取得して表示する。
【特許文献１】特開２００７−１０４３１３号公報
【特許文献２】特開２００７−１１０５５７号公報
【発明の開示】
【発明が解決しようとする課題】
【０００５】
しかし、上述した特許文献１および特許文献２の方法は、作品の視聴時は、関連商品の購入意欲が高いにも関わらず、ユーザのニーズに合致する商品を、適切に推薦できていないと考えられる。
【０００６】
例えば、連続ドラマなどのシリーズものにおいて、ユーザが視聴したものが第３回分であった場合、作品情報が類似していても第１回分の作品を推薦するのは適切ではない。また、第３回分を視聴する前に、第４回分の推薦をするのも適切ではない。
【０００７】
特にＤＶＤ等のメディアに記録された作品においては、作品は順次作成されることが多いので、第３回分の作品を作成した際には、第４回分の作品は未だ作成されていない。従って、第３回分のメディアに第４回分の作品の広告を挿入することができず、第３回分を視聴したユーザに第４回分の作品の購入を導く手だてがなかった。
【０００８】
また、ユーザがキーワードを入力したり、直接店舗に行くことにより、関連商品を購入することができるが、ユーザが行動を起こす前に、購入意欲が薄れてしまう問題がある。
【０００９】
このように、作品を視聴した後は、関連商品の購入意欲が高いにもかかわらず、従来の方法においては、適切に関連商品を推薦することができなかった。
【００１０】
そこで本発明は、ユーザの購入意欲が高いタイミングで、ユーザのニーズに合致した商品を推薦する情報提供システム、情報提供サーバおよび情報提供方法を提供することである。
【課題を解決するための手段】
【００１１】
上記課題を解決するために、本発明の第１の特徴は、作品を再生する機器と、作品の情報に基づいて機器に広告を配信する情報提供サーバとを備える情報提供システムに関する。本発明の第１の特徴に係る情報提供システムの機器は、機器は、作品の情報を情報提供サーバに送信するとともに、情報提供サーバから、再生量ごとの広告の情報を取得するサーバ通信部と、作品の再生が終了すると、作品の再生量に対応する広告の情報を表示する推薦広告表示部とを備える。本発明の第１の特徴に係る情報提供システムの情報提供サーバは、機器における作品の再生量ごとに、作品の前作の広告を出す推薦度と、作品の次作の広告を出す推薦度が関連づけられたシリーズ推薦度データ記憶部と、作品の識別子と、作品の情報と、作品の前作の作品識別子と、次作の作品識別子とが関連づけられた作品データ記憶部と、広告の広告識別子と、広告に関連する作品の作品識別子と、広告の情報が関連づけられた広告データ記憶部と、機器から作品の情報を受信し、作品データ記憶部から、受信した作品の情報に関連づけられた作品識別子を取得する作品情報取得部と、作品データ記憶部から、作品情報取得部によって取得された作品識別子に関連づけられた前作の作品識別子を取得し、広告データ記憶部において前作の作品識別子に関連づけられた広告識別子に、シリーズ推薦度データ記憶部から取得した前作の広告を出す推薦度を、再生量ごとに関連づけるとともに、作品データ記憶部から、作品情報取得部によって取得された作品識別子に関連づけられた次作の作品識別子を取得し、広告データ記憶部において次作の作品識別子に関連づけられた広告識別子に、シリーズ推薦度データ記憶部から取得した次作の広告を出す推薦度を、再生量ごとに関連づけるシリーズ作品推薦部と、前作の広告識別子および次作の広告識別子のうち、再生量ごとに推薦度の高いものから所定数の広告識別子を取得するとともに、広告データ記憶部から、取得した該広告識別子の広告の情報を取得する商品推薦部と、商品推薦部によって取得された、再生量ごとの広告の情報を、機器に送信する広告配信部とを備える。
【００１２】
本発明の第２の特徴は、機器において再生された作品の情報に基づいて、機器に広告を配信する情報提供サーバに関する。即ち本発明の第２の特徴に係る情報提供サーバは、機器における作品の再生量ごとに、作品の前作の広告を出す推薦度と、作品の次作の広告を出す推薦度が関連づけられたシリーズ推薦度データ記憶部と、作品の識別子と、作品の情報と、作品の前作の作品識別子と、次作の作品識別子とが関連づけられた作品データ記憶部と、広告の広告識別子と、広告に関連する作品の作品識別子と、広告の情報が関連づけられた広告データ記憶部と、機器から作品の情報を受信し、作品データ記憶部から、受信した作品の情報に関連づけられた作品識別子を取得する作品情報取得部と、作品データ記憶部から、作品情報取得部によって取得された作品識別子に関連づけられた前作の作品識別子を取得し、広告データ記憶部において前作の作品識別子に関連づけられた広告識別子に、シリーズ推薦度データ記憶部から取得した前作の広告を出す推薦度を、再生量ごとに関連づけるとともに、作品データ記憶部から、作品情報取得部によって取得された作品識別子に関連づけられた次作の作品識別子を取得し、広告データ記憶部において次作の作品識別子に関連づけられた広告識別子に、シリーズ推薦度データ記憶部から取得した次作の広告を出す推薦度を、再生量ごとに関連づけるシリーズ作品推薦部と、前作の広告識別子および次作の広告識別子のうち、再生量ごとに推薦度の高いものから所定数の広告識別子を取得するとともに、広告データ記憶部から、取得した該広告識別子の広告の情報を取得する商品推薦部と、商品推薦部によって取得された、再生量ごとの広告の情報を、機器に送信する広告配信部とを備える。
【００１３】
ここで、シリーズ推薦度データ記憶部において、前作の広告を出す推薦度は、再生量が多くなるにつれて低く設定され、次作の広告を出す推薦度は、再生量が多くなるにつれて高く設定されることが好ましい。
【００１４】
また、広告識別子と、再生量ごとの優先度が関連づけられた関連商品優先度データ記憶部と、機器において再生された作品の情報に基づいて、広告データ記憶部から作品の情報に類似する関連広告の広告識別子を取得するとともに、作品の情報と広告の情報の類似度と、関連商品優先度データ記憶部における優先度とに基づいて、関連広告の広告識別子および再生量ごとに、関連広告の推薦度を算出する関連商品推薦部とを備えても良い。この場合、商品推薦部は、前作の広告識別子、次作の広告識別子および関連広告の広告識別子のうち、再生量ごとに推薦度の高いものから所定数の広告識別子を取得するとともに、広告データ記憶部から、取得した該広告識別子の広告の情報を取得する。
【００１５】
さらに、シリーズ推薦度データ記憶部は、再生量ごとに、さらに、機器において再生された作品の広告を出す推薦度が関連づけられ、シリーズ作品推薦部は、さらに、広告データ記憶部において再生された作品の作品識別子に関連づけられた広告識別子に、シリーズ推薦度データ記憶部から取得した再生された作品の広告を出す推薦度を、再生量ごとに関連づけ、商品推薦部は、前作の広告識別子、次作の広告識別子、再生された作品の広告識別子および関連広告の広告識別子のうち、再生量ごとに推薦度の高いものから所定数の広告識別子を取得するとともに、広告データ記憶部から、取得した該広告識別子の広告の情報を取得することが好ましい。
【００１６】
本発明の第３の特徴は、機器において再生された作品の情報に基づいて、機器に広告を配信する情報提供サーバに用いられる情報提供方法に関する。即ち本発明の第３の特徴に係る情報提供方法は、機器における作品の再生量ごとに、作品の前作の広告を出す推薦度と、作品の次作の広告を出す推薦度が関連づけられたシリーズ推薦度データを記憶するシリーズ推薦度データ記憶ステップと、作品の識別子と、作品の情報と、作品の前作の作品識別子と、次作の作品識別子とが関連づけられた作品データを記憶する作品データ記憶ステップと、広告の広告識別子と、広告に関連する作品の作品識別子と、広告の情報が関連づけられた広告データを記憶する広告データ記憶ステップと、機器から作品の情報を受信し、作品データから、受信した作品の情報に関連づけられた作品識別子を取得する作品情報取得ステップと、作品データから、作品情報取得ステップによって取得された作品識別子に関連づけられた前作の作品識別子を取得し、広告データにおいて前作の作品識別子に関連づけられた広告識別子に、シリーズ推薦度データから取得した前作の広告を出す推薦度を、再生量ごとに関連づけるとともに、作品データから、作品情報取得ステップによって取得された作品識別子に関連づけられた次作の作品識別子を取得し、広告データにおいて次作の作品識別子に関連づけられた広告識別子に、シリーズ推薦度データから取得した次作の広告を出す推薦度を、再生量ごとに関連づけるシリーズ作品推薦ステップと、前作の広告識別子および次作の広告識別子のうち、再生量ごとに推薦度の高いものから所定数の広告識別子を取得するとともに、広告データから、取得した該広告識別子の広告の情報を取得する商品推薦ステップと、商品推薦ステップによって取得された、再生量ごとの広告の情報を、機器に送信する広告配信ステップとを備える。
【００１７】
ここで、シリーズ推薦度データ記憶ステップにおいて、前作の広告を出す推薦度は、再生量が多くなるにつれて低く設定され、次作の広告を出す推薦度は、再生量が多くなるにつれて高く設定されることが好ましい。
【００１８】
また、広告識別子と、再生量ごとの優先度が関連づけられた関連商品優先度データを記憶するステップと、機器において再生された作品の情報に基づいて、広告データから作品の情報に類似する関連広告の広告識別子を取得するとともに、作品の情報と広告の情報の類似度と、関連商品優先度データにおける優先度とに基づいて、関連広告の広告識別子および再生量ごとに、関連広告の推薦度を算出する関連商品推薦ステップとを備えても良い。この場合、商品推薦ステップは、前作の広告識別子、次作の広告識別子および関連広告の広告識別子のうち、再生量ごとに推薦度の高いものから所定数の広告識別子を取得するとともに、広告データから、取得した該広告識別子の広告の情報を取得する。
【００１９】
さらに、シリーズ推薦度データは、再生量ごとに、さらに、機器において再生された作品の広告を出す推薦度が関連づけられ、シリーズ作品推薦ステップは、さらに、広告データにおいて再生された作品の作品識別子に関連づけられた広告識別子に、シリーズ推薦度データから取得した再生された作品の広告を出す推薦度を、再生量ごとに関連づけ、商品推薦ステップは、前作の広告識別子、次作の広告識別子、再生された作品の広告識別子および関連広告の広告識別子のうち、再生量ごとに推薦度の高いものから所定数の広告識別子を取得するとともに、広告データから、取得した該広告識別子の広告の情報を取得することが好ましい。
【発明の効果】
【００２０】
本発明によれば、ユーザの購入意欲が高いタイミングで、ユーザのニーズに合致した商品を推薦する情報提供システム、情報提供サーバおよび情報提供方法を提供することができる。
【発明を実施するための最良の形態】
【００２１】
次に、図面を参照して、本発明の実施の形態を説明する。以下の図面の記載において、同一または類似の部分には同一または類似の符号を付している。
【００２２】
（最良の実施の形態）
図１を参照して、本発明の最良の実施の形態に係る情報提供システム１０のシステム構成を説明する。
【００２３】
本発明の最良の実施の形態に係る情報提供システム１０は、情報提供サーバ１と、複数の機器５ａおよび５ｂを備える。情報提供サーバ１と、複数の機器５ａおよび５ｂは、通信ネットワーク７により、相互に接続されている。通信ネットワーク７は、インターネット等の双方向の通信ネットワークである。図１に示す例では、通信ネットワーク７に、２つの機器５ａおよび５ｂが接続されているが、実際の例では、さらに複数の機器が接続されていても良い。
【００２４】
図１に示す情報提供サーバ１は、機器５ａ等において再生された作品の情報に基づいて、機器５ａ等に広告を配信する。情報提供サーバ１は、作品を再生可能な機器５ａ等から取得した作品の情報に基づいて、再生された作品に関連する商品を推薦する広告を、機器５ａ等に送信する。本発明の最良の実施の形態において、情報提供サーバ１が機器５ａに送信する広告には、シリーズ推薦作品の広告と、関連商品の広告とが含まれる。シリーズ推薦作品とは、再生中の作品と同じシリーズの他の作品であって、再生中の作品の前作や次作などである。関連商品とは、再生中の作品と関連する商品であって、出演者が同じ作品や、ジャンルが類似する作品や、再生中の作品のキャラクターグッズ、原作小説、サウンドトラックなどである。
【００２５】
機器５ａは、ディスプレイなどの表示装置に接続され、ＣＤやＤＶＤ等のメディアを再生可能な機器である。機器５ａは、例えばハードディスクレコーダであって、受信した放送番組をハードディスク等の記録媒体に録画し、表示装置に表示することもできる。機器５ａは、情報提供サーバ１に、再生中のメディアに記録された作品の情報を送信する。機器５ａはさらに、情報提供サーバ１から、再生中の作品に関連する商品を推薦する広告を受信する。再生中の作品の再生量ごとに、少なくとも一つの広告が関連づけられている。される。これに対応して機器５ａは、再生が停止または終了した時点で、その作品の再生量に応じて、広告を表示装置に表示する。機器５ａは、インターネット等から作品をダウンロードして再生し、その再生した作品についての広告を受信しても良い。
【００２６】
本発明の最良の実施の形態においては、機器５ａと表示装置が個別の装置である場合について説明するが、同様の機能を実装できるのであれば、どのようなハードウェアに構成されても良い。機器３ｂは、機器３ａと同様の構成および機能を備える。
【００２７】
（情報提供システムの処理の概略）
次に図２を参照して、情報提供システム１０における情報提供方法の処理の概略を説明する。
【００２８】
まず、ステップＳ１において、機器５ａにおいてメディア等に記録された作品が再生されると、ステップＳ２において、機器５ａから情報提供サーバ１に、再生された作品の作品情報が送信される。ここで作品情報とは、再生された作品を特定するための情報である。具体的には、作品ＩＤのみであっても良いし、作品のタイトル、出演している人物名、販売元、説明文、ジャンルＩＤであっても良い。この作品情報は、機器５ａにおいてメディアが再生されている際に情報提供サーバ１に送信されることが好ましい。これにより、メディア再生中に、この作品に関連する商品の広告を受信し、再生終了または停止の後、速やかに広告を表示することができる。
【００２９】
情報提供サーバ１が、機器５ａから作品情報を取得すると、情報提供サーバ１は、作品データ２１を読み出して、機器５ａにおいて再生中の作品の作品ＩＤを取得する。次に、ステップＳ４において、情報提供サーバ１は、再生中の作品がシリーズ作品である場合、そのシリーズ作品に関する推薦広告ＩＤを取得する。具体的には、情報提供サーバ１は、作品データ２１から再生中の作品がシリーズ作品の場合に、その前作の作品ＩＤと、次作の作品ＩＤとを取得する。さらに作品ＩＤ、前作の作品ＩＤおよび次作の作品ＩＤを取得すると、広告データ２３から、作品ＩＤ、前作の作品ＩＤおよび次作の作品ＩＤの各作品ＩＤに関連する広告ＩＤを、推薦広告ＩＤとして取得する。このとき、情報提供サーバ１は、シリーズ推薦度データ記憶部２２を参照して、再生中の作品、前作の作品および次作の作品の各作品種別と、機器５ａにおける再生量と、に対応した推薦度のデータを取得する。
【００３０】
さらにステップＳ５において、情報提供サーバ１は、再生中の作品に関する関連広告ＩＤを取得する。ここで情報提供サーバ１は、再生された作品の情報に基づいて、再生された作品に関連する商品の広告を検索する。具体的には情報提供サーバ１は、再生された作品のタイトル、人物、発売元、説明文等からキーワードを抽出し、そのキーワードに関連する広告ＩＤを、広告データ２３から抽出する。このとき、情報提供サーバ１は、キーワードとの類似度を取得するとともに、関連商品優先度データ２４から再生量に対する優先度を取得し、類似度と優先度に基づいて、各関連広告の推薦度を決定する。
【００３１】
次に、ステップＳ６において情報提供サーバは、ステップＳ４およびステップＳ５で取得された推薦広告ＩＤおよび関連広告ＩＤについて、各再生量について、推薦度の高いものから所定数の広告ＩＤを取得する。例えば、再生量が２５％以下、５０％以下、７５％以下および１００％以下と量子化されている場合、各再生量について、所定数の広告ＩＤが取得される。さらに情報提供サーバ１は、広告データ２３から、取得した所定数の広告ＩＤに関連する広告の情報を取得し、これらの推薦広告および関連広告を出力するための通信文を作成する。この通信文は、再生量ごと、具体的には、再生量が２５％以下、５０％以下、７５％以下および１００％以下のそれぞれの場合について生成される。
【００３２】
通信文が生成されると、情報提供サーバ１は、ステップＳ７において、通信文を機器５ａに送信する。機器５ａは、通信文を受信すると記憶装置等に一時的に保存し、メディアの再生の終了または停止を待機する。
【００３３】
ステップＳ８において、機器５ａにおいて、作品の再生が終了または作品の再生が停止されると、ステップＳ９において、終了または停止時の作品の再生位置を取得する。ここで、作品の再生の終了とは、作品の最後まで再生されたことを意味し、作品の再生停止とは、ユーザの操作によって、最後まで作品が再生されることなく、作品の再生が停止されることを意味する。さらに、機器５ａは、ステップＳ９で取得した再生位置に対応する通信文を取得し、再生位置に対応した推薦商品および関連商品の広告を表示装置に表示する。
【００３４】
（機器）
次に、機器５ａについて説明する。ここでは機器５ａについて説明するが、機器５ｂも同様に動作することは勿論である。
【００３５】
図１に示すように機器５ａは、再生部５１ａ、サーバ通信部５２ａおよび広告表示部５３ａを備える。
【００３６】
再生部５１ａは、機器５ａに挿入されたメディアの作品を再生して、表示装置への表示を制御する。再生部５１ａは、音声再生など、メディアの再生に伴うあらゆる動作を制御する。再生部５１ａは、ユーザの操作により作品の再生を開始し、ユーザの操作により作品の再生を停止する。また再生部５１ａは、作品の最後まで再生した際も、再生を停止する。
【００３７】
サーバ通信部５２ａは、メディアに記憶された作品の情報を情報提供サーバ１に送信するとともに、情報提供サーバ１から、再生量ごとの広告の情報を取得する。ここで取得される広告の情報は、再生している作品と同じシリーズの作品を紹介する推薦広告と、再生している作品に関連する作品を紹介する関連広告とのうち、推薦度の高い所定数の広告を含む。
【００３８】
広告表示部５３ａは、サーバ通信部５２ａによって取得された広告を表示する。広告表示部５３ａは、再生部５１ａによる作品の再生が終了すると、作品の再生量に対応する広告の情報を表示する。
【００３９】
図３を参照して、本発明の最良の実施の形態に係る機器５ａの処理を説明する。
【００４０】
まず、ステップＳ１０１において機器５ａは、メディアの映像再生を開始する。このとき、ステップＳ１０２において、メディアから作品の情報を取得し、情報提供サーバ１に送信する。ここでは、メディアの映像再生について説明するが、再生される作品は、ダウンロードサイトからダウンロードされた動画であっても良い。
【００４１】
ステップＳ１０３において機器３ａは、情報提供サーバ１から、広告情報を取得する。この広告情報は、再生量ごとに設定される。広告情報には、再生中の作品がシリーズの作品である場合に同じシリーズの作品を推薦する推薦広告と、再生中の作品に関連する作品を推薦する関連広告のうち、推薦度の高い所定数の広告である。
【００４２】
ステップＳ１０４において、ユーザの操作により再生が呈しされると、ステップＳ１０５において、作品の再生位置を取得し、再生量に応じた広告が選択され、ステップ１０６において、その広告が表示装置に表示される。ステップＳ１０４において停止要求がなく、ステップＳ１０５において映像の末尾まで再生された場合、再生量を１００％として、ステップＳ１０５において、再生量に応じた広告が選択され、ステップ１０６において、その広告が表示装置に表示される。
【００４３】
このように、本発明の最良の実施の形態に係る機器５ａは、再生量ごとの広告を情報提供サーバ１から受信し、メディアの再生が終了または停止された際に、再生量に応じた広告を情報提供サーバ１に送信する。これにより機器５ａのユーザは、作品を見終わって購買意欲の高いときに、新たな商品の広告を視聴する。従って、機器５ａは、商品購入に導きやすい広告を表示することができる。
【００４４】
また、本発明の最良の実施の形態に係る機器５ａは、作品の再生と同時に作品の情報を情報提供サーバ１に送信し、情報提供サーバから、再生量ごとの広告情報を受信し、メディアの再生が終了または停止された後すぐに、広告を表示することができる。従って、機器５ａは、購買意欲の高いタイミングを逃すことなく、広告を表示することができる。
【００４５】
（情報提供サーバ）
図４に示すように、本発明の最良の実施の形態に係る情報提供サーバ１は、中央処理制御装置１０１、ＲＯＭ（Read Only Memory）１０２、ＲＡＭ（Random Access Memory）１０３および入出力インタフェース１０９が、バス１１０を介して接続されている。入出力インタフェース１０９には、入力装置１０４、表示装置１０５、通信制御装置１０６、記憶装置１０７およびリムーバブルディスク１０８が接続されている。
【００４６】
中央処理制御装置１０１は、入力装置１０４からの入力信号に基づいてＲＯＭ１０２から情報提供サーバ１を起動するためのブートプログラムを読み出して実行し、さらに記憶装置１０７に記憶されたオペレーティングシステムを読み出す。さらに中央処理制御装置１０１は、入力装置１０４や通信制御装置１０６などの入力信号に基づいて、各種装置の制御を行ったり、ＲＡＭ１０３や記憶装置１０７などに記憶されたプログラムおよびデータを読み出してＲＡＭ１０３にロードするとともに、ＲＡＭ１０３から読み出されたプログラムのコマンドに基づいて、データの計算または加工など、後述する一連の処理を実現する処理装置である。
【００４７】
入力装置１０４は、操作者が各種の操作を入力するキーボード、マウスなどの入力デバイスにより構成されており、操作者の操作に基づいて入力信号を作成し、入出力インタフェース１０９およびバス１１０を介して中央処理制御装置１０１に送信される。表示装置１０５は、ＣＲＴ（Cathode Ray Tube）ディスプレイや液晶ディスプレイなどであり、中央処理制御装置１０１からバス１１０および入出力インタフェース１０９を介して表示装置１０５において表示させる出力信号を受信し、例えば中央処理制御装置１０１の処理結果などを表示する装置である。通信制御装置１０６は、ＬＡＮカードやモデムなどの装置であり、情報提供サーバ１をインターネットやＬＡＮなどの通信ネットワークに接続する装置である。通信制御装置１０６を介して通信ネットワークと送受信したデータは入力信号または出力信号として、入出力インタフェース１０９およびバス１１０を介して中央処理制御装置１０１に送受信される。
【００４８】
記憶装置１０７は半導体記憶装置や磁気ディスク装置であって、中央処理制御装置１０１で実行されるプログラムやデータが記憶されている。リムーバブルディスク１０８は、光ディスクやフレキシブルディスクのことであり、ディスクドライブによって読み書きされた信号は、入出力インタフェース１０９およびバス１１０を介して中央処理制御装置１０１に送受信される。
【００４９】
本発明の最良の実施の形態に係る情報提供サーバ１の記憶装置１０７には、情報提供プログラムが記憶されるとともに、作品データ記憶部２１、シリーズ推薦度データ記憶部２２、広告データ記憶部２３および関連商品優先度データ記憶部２４を備える。また、情報提供プログラムが情報提供サーバ１の中央処理制御装置１０１に読み込まれ実行されることによって、作品情報取得部１１、商品推薦部１２、シリーズ作品推薦部１３、関連商品推薦部１４および 広告配信部１５が情報提供サーバ１に実装される。
【００５０】
作品データ記憶部２１は、作品ＩＤと、作品の情報と、作品の前作の作品ＩＤと、次作の作品ＩＤとが関連づけられたデータである。作品データ２１は、例えば図５に示すデータ構造とデータの一例を備える。作品データ２１は、作品ＩＤをキーとして、作品のタイトル、出演している人物、発売元、標準価格、説明文、ジャンルＩＤ、作品種別、キーワード、前作の作品ＩＤおよび次作の作品ＩＤが関連づけられている。
【００５１】
前作の作品ＩＤおよび次作の作品ＩＤは、作品ＩＤと同じシリーズに属する他の商品である。例えば、１シリーズで１２話あるうちの第５話である場合、同じシリーズの第４話の作品が前作で、第６話の作品が次作である。作品ＩＤが第１話である場合、前作の作品ＩＤには、ｎｕｌｌ値が挿入される一方、次作の作品ＩＤには、同じシリーズの第２話の作品ＩＤが挿入される。同様に作品ＩＤが第１２話である場合、前作の作品ＩＤには、同じシリーズの第１１話の作品ＩＤが挿入される一方、次作の作品ＩＤには、ｎｕｌｌ値が挿入される。
【００５２】
シリーズ推薦度データ２２は、機器５ａ等における作品の再生量ごとに、作品の前作の広告を出す推薦度と、作品の次作の広告を出す推薦度が関連づけられたデータである。シリーズ推薦度データ２２は、例えば図６に示すデータ構造とデータの一例を備える。図６に示す例においては、再生量は、２５％以下、５０％以下、７５％以下および１００％以下と、再生量に応じて４つに分類されている。再生中の作品、再生中の作品の前作および再生中の作品の次作のそれぞれについて、各再生量に応じて広告を出す推薦度が関連づけられている。前作の広告を出す推薦度は、再生量が多くなるにつれて低く設定され、次作の広告を出す推薦度は、再生量が多くなるにつれて高く設定される。また、機器５ａにおいて再生されている作品の関連広告は、再生量が少ないときより、再生量が多い場合のほうが、推薦度は高くなる。
【００５３】
具体的には、機器５ａにおいて再生量が少ない状態で再生が停止された場合、前作の広告の推薦度は、次作の広告の推薦度に比べて高く設定されているので、前作の広告が表示されやすい。これにより、再生中の作品の内容が分からない場合など、ユーザが前作を確認したいという機会を失うことなく、前作の広告を表示することができる。一方、機器５ａにおいて最後まで作品が再生された場合、次作の広告の推薦度は、前作の広告の推薦度に比べて高く設定されているので、次作の広告が表示されやすい。これにより、ユーザが再生中の作品の続きを見たいという機会を失うことなく、次作の広告を表示することができる。また、再生されている作品の関連広告について、再生量が多いときのほうが推薦度を高くすることにより、この再生作品に関連する商品が推薦されやすくなる。
【００５４】
広告データ２３は、広告の広告ＩＤと、広告に関連する作品の作品ＩＤと、広告の情報が関連づけられたデータである。広告データ２３は、例えば図７に示すデータ構造とデータの一例を備える。広告データ２３は、広告ＩＤおよび作品ＩＤをキーとして、広告情報が関連づけられている。ここで広告情報とは、広告文言、広告画像、キーワード等である。広告ＩＤと作品ＩＤは、多対多の接続関係であることが好ましい。図７に示す広告データ２３においては、作品ＩＤとして、メディアの作品ＩＤを記載しているが、メディアの作品ＩＤには限られない。具体的には、広告データ２３には、作品に関連するキャラクターグッズ、原作小説、サウンドトラックなどの作品に関連する商品ＩＤが関連づけられ、情報提供サーバ１が配信する広告は、この関連商品を紹介する広告であっても良い。
【００５５】
関連商品優先度データ２４は、広告ＩＤと、作品ＩＤと、再生量ごとの優先度が関連づけられたデータである。関連作品優先度データ２４は、例えば図８に示すデータ構造とデータの一例を備える。関連作品優先度データ２４は、広告ＩＤをキーとして、再生量ごとの優先度が関連づけられている。本発明の最良の実施の形態においては、関連作品優先度データ２４においてもシリーズ推薦度データ２２と同様に、再生量は、２５％以下、５０％以下、７５％以下および１００％以下と、再生量に応じて４つに分類されている。関連作品優先度データ２４における優先度は、作品の特定に応じて、定められることが好ましい。
【００５６】
作品情報取得部１１は、機器５ａから作品の情報を受信し、作品データ２１から、受信した作品の情報に関連づけられた作品ＩＤを取得する。作品情報取得部１１は、機器５ａにおいてメディアが再生されると、メディアに記録された作品のタイトル、人物、発売元などの作品の情報を受信する。作品情報取得部１１は、これらの作品の情報をキーに、作品データ記憶部２１の作品データを読み出し、作品の情報に合致するレコードを抽出し、そのレコードの作品ＩＤを取得する。機器５ａから作品ＩＤを受信した場合、作品情報取得部１１は、その作品ＩＤを出力する。
【００５７】
図９を参照して、作品情報取得部１１による作品情報取得処理を説明する。  
まずステップＳ１０１において、作品情報取得部１１は、機器５ａから作品を特定する情報を取得する。この作品を特定する情報とは、作品のタイトル、人物、販売元等であっても良いし、作品ＩＤであっても良い。  
次にステップＳ２０２において、ステップＳ２０１で取得した情報に基づいて、作品データ２１を検索する。このとき、作品情報取得部１１は、機器５ａにおいて再生された作品の作品ＩＤを取得する。
【００５８】
商品推薦部１２は、シリーズ作品推薦部１３および関連商品推薦部１４を備える。シリーズ作品推薦部１３は、機器５ａで再生された作品がシリーズ作品であった場合、そのシリーズにおける前作、次作等の再生中の作品に関連する作品を推薦するための推薦広告の広告ＩＤを取得する。関連商品推薦部１４は、機器５ａで再生された作品に関連する作品を推薦するための関連広告の広告ＩＤを取得する。
【００５９】
ここで本発明の最良の実施の形態においては、シリーズ作品推薦部１３および関連商品推薦部１４は、機器５ａにおけるメディアの再生量ごとに、少なくとも一つの広告ＩＤを抽出する。具体的には、再生量が２５％以下の場合について、シリーズ作品推薦部１３は、前作に関連する作品を推薦する推薦広告、次作に関連する作品を推薦する推薦広告および再生中の作品の各作品を推薦する推薦広告を、それぞれ抽出する。シリーズ作品推薦部１３は、再生量が５０％以下の場合、７５％以下の場合、１００％以下のそれぞれの場合についても同様に推薦広告ＩＤを抽出する。さらに、再生量が２５％以下の場合について、関連商品推薦部１４は、再生中の作品に関連する作品を推薦する関連広告を抽出する。関連商品推薦部１３は、再生量が５０％以下の場合、７５％以下の場合、１００％以下のそれぞれの場合についても同様に関連広告ＩＤを抽出する。シリーズ作品推薦部１３および関連商品推薦部１４の処理は、後述する。
【００６０】
商品推薦部１２は、シリーズ作品推薦部１３によって取得された推薦広告の広告ＩＤと、関連商品推薦部１４によって取得された関連広告の広告ＩＤとから、再生量ごとに所定数の広告いＤを取得し、広告データ記憶部２３から、取得した該広告ＩＤの広告の情報を取得する。具体的には、商品推薦部１２は、前作の広告ＩＤ、次作の広告ＩＤ、再生された作品の広告ＩＤおよび関連広告の広告ＩＤのうち、再生量ごとに推薦度の高いものから所定数の広告識別子を取得するとともに、広告データ記憶部２３から、取得した該広告ＩＤの広告の情報を取得する。
【００６１】
商品推薦部１２は、例えば再生量が２５％の場合について、前作の広告ＩＤ、次作の広告ＩＤ、再生された作品の広告ＩＤおよび関連広告の広告ＩＤについて、推薦度の高いものから、例えば５つの広告ＩＤを取得する。さらに商品推薦部１２は、取得した広告ＩＤについて、広告データ記憶部２３から広告情報を取得する。商品推薦部１２は、再生量が５０％以下の場合、７５％以下の場合、１００％以下のそれぞれの場合についても同様に広告情報を取得する。さらに商品推薦部１２は、再生量が２５％以下、再生量が５０％以下の場合、７５％以下の場合、１００％以下のそれぞれの広告情報を含む通信文を生成する。この通信文には、再生量の４つの状態のそれぞれについて５つの広告が含まれる。
【００６２】
図１０を参照して、商品推薦部１２による商品推薦処理を説明する。  
まず、ステップＳ３０１において、シリーズ作品の推薦広告の広告ＩＤを取得する。ステップＳ３０２において、関連商品の関連広告の広告ＩＤを取得する。ステップＳ３０１およびステップＳ３０２で取得される広告ＩＤは、再生量ごとに取得される。
【００６３】
次にステップＳ３０１およびステップＳ３０２で取得された広告ＩＤについて、各再生量範囲において、ステップＳ３０３およびステップＳ３０４の処理が実行される。ステップＳ３０３において、各再生量において、推薦度の高いものを、この再生量での推薦広告として、その広告ＩＤが抽出される。さらに、ステップＳ３０４において、広告データ記憶部３４から、広告の情報が取得される。
【００６４】
ステップＳ３０およびステップＳ３０４において、各再生量について広告の情報が取得されると、ステップＳ３０５において商品推薦部１２は、各再生量についての広告の情報が含まれる通信文を生成する。シリーズ作品の場合、例えば図１１に示すように、この通信文には、同じシリーズの作品が含まれている。
【００６５】
次に、シリーズ作品推薦部１３について詳述する。シリーズ作品推薦部１３は、機器５ａにおいて再生された作品、その作品の前作および次作の広告ＩＤを抽出する。
【００６６】
具体的には、シリーズ作品推薦部１３は、作品データ記憶部２１から、作品情報取得部１１によって取得された作品ＩＤに関連づけられた前作の作品ＩＤを取得し、広告データ記憶部２３において前作の作品ＩＤに関連づけられた広告ＩＤを抽出する。さらにシリーズ作品情報推薦部１３は、抽出した広告ＩＤに、シリーズ推薦度データ記憶部２２から取得した前作の広告を出す推薦度を、再生量ごとに関連づける。
【００６７】
作品情報取得部１１は、作品情報取得部１１によって取得された作品ＩＤに関連づけられた次作の作品ＩＤを取得し、広告データ記憶部２３において次作の作品ＩＤに関連づけられた広告ＩＤを抽出する。さらにシリーズ作品情報推薦部１３は、抽出した広告ＩＤに、シリーズ推薦度データ記憶部２２から取得した次作の広告を出す推薦度を、再生量ごとに関連づける。
【００６８】
シリーズ作品推薦部１１は、広告データ記憶部２３から、再生された作品の作品ＩＤに関連づけられた広告ＩＤを抽出する。さらにシリーズ作品情報推薦部１３は、抽出した広告ＩＤに、シリーズ推薦度データ記憶部２２から取得した再生された作品の広告を出す推薦度を、再生量ごとに関連づける。
【００６９】
図１２を参照して、シリーズ作品推薦部１３によるシリーズ作品推薦処理を説明する。  
まず、ステップＳ４０１においてシリーズ作品推薦部１１は、再生作品の作品ＩＤをキーに、推薦広告ＩＤを検索する。例えば、図５に示す例の場合、再生作品の作品ＩＤが「１００」の場合、広告データ２３から、作品ＩＤ「１００」に関連づけられた広告ＩＤを抽出する。さらに、ステップＳ４０２においてシリーズ作品推薦部１１は、シリーズ推薦度データ２２から、再生作品の推薦広告の推薦度を取得する。具体的には、図６に示すように、再生量が２５％以下について「０．４」、再生量が５０％以下について「０．８」、再生量が７５％以下について「１．４」、再生量が１００％以下について「１．４」を取得する。
【００７０】
次に、ステップＳ４０３において、再生作品の作品ＩＤで前作と次作の作品ＩＤを検索する。具体的には、図５に示す作品データ２１の場合、作品ＩＤ「１００」の前作の作品ＩＤ「８０」と、次作の作品ＩＤ「１２０」とが抽出される。
【００７１】
ステップＳ４０４において、ステップＳ４０３において前作の作品ＩＤが検索されたかが判定される。前作の作品ＩＤが検索された場合、ステップＳ４０５においてシリーズ作品推薦部１１は、前作の作品ＩＤをキーに、推薦広告ＩＤを検索する。例えば、図５に示す例の場合、前作の作品ＩＤが「８０」の場合、広告データ２３から、作品ＩＤ「８０」に関連づけられた広告ＩＤを抽出する。さらに、ステップＳ４０６においてシリーズ作品推薦部１１は、シリーズ推薦度データ２２から、前作の推薦広告の推薦度を取得する。具体的には、図６に示すように、再生量が２５％以下について「１．５」、再生量が５０％以下について「１．０」、再生量が７５％以下について「１．０」、再生量が１００％以下について「０．５」を取得する。
【００７２】
ステップＳ４０７において、ステップＳ４０３において次作の作品ＩＤが検索されたかが判定される。次作の作品ＩＤが検索された場合、ステップＳ４０８においてシリーズ作品推薦部１１は、次作の作品ＩＤをキーに、推薦広告ＩＤを検索する。例えば、図５に示す例の場合、次作の作品ＩＤが「１２０」の場合、広告データ２３から、作品ＩＤ「１２０」に関連づけられた広告ＩＤを抽出する。さらに、ステップＳ４０９においてシリーズ作品推薦部１１は、シリーズ推薦度データ２２から、次作の推薦広告の推薦度を取得する。具体的には、図６に示すように、再生量が２５％以下について「０．５」、再生量が５０％以下について「１．０」、再生量が７５％以下について「１．０」、再生量が１００％以下について「１．５」を取得する。
【００７３】
次に、関連商品推薦部１４について詳述する。関連商品推薦部１４は、機器５ａにおいて再生された作品に関連する広告ＩＤを抽出する。
【００７４】
具体的には、関連商品推薦部１４は、機器５ａにおいて再生された作品の情報に基づいて、広告データ記憶部２３から作品の情報に類似する関連広告の広告ＩＤを取得する。さらに関連商品推薦部１４は、機器５ａにおいて再生された作品の情報と広告の情報の類似度を算出する。さらに関連商品推薦部１４は、この類似度と、関連商品優先度データ記憶部２４における優先度とに基づいて、関連広告の広告ＩＤおよび再生量ごとに、関連広告の推薦度を算出する。ここで、関連商品推薦部１４が取得する関連広告は、メディアに記録された作品には限られない。例えば、作品に関連するキャラクターグッズ、原作小説、サウンドトラック等も含まれる。
【００７５】
図１３を参照して、関連商品推薦部１４による関連商品推薦処理を説明する。  
まず、ステップＳ５０１において関連商品推薦部１４は、再生作品のキーワード、ジャンルなどに基づいて、広告データ２３から、関連広告の広告ＩＤを検索する。例えば、機器５ａにおいて再生された作品の作品ＩＤが「１００」の場合、人名「山田太郎」をキーに、広告データ２３から、人名「山田太郎」に関連するレコードを抽出し、そのレコードの広告ＩＤを、関連広告の広告ＩＤとして取得する。次に、ステップＳ５０２において、関連広告の類似度（Ａ）を検索する。この類似度（Ａ）は、再生された作品の情報と、関連広告の広告の情報との類似度である。類似度（Ａ）は、キーワード等が一致する項目が多いほど、高くなるように設定される。
【００７６】
次に、ステップＳ５０１で抽出された関連広告の広告ＩＤについて、ステップＳ５０３およびステップＳ５０４の処理が繰り返される。まず、ステップＳ５０３において、関連商品優先度データ２４から、この広告ＩＤに関連づけられる優先度を取得する。この優先度は、各再生量に対する優先度（Ｂ）である。例えば、ステップＳ５０１において広告ＩＤ「Ｃ１００」が検索された場合、関連商品推薦部１４は、ステップＳ５０４において、関連商品優先度データ２４から、広告ＩＤ「Ｃ１００」に関連づけられた再生量ごとの優先度を取得する。具体的には、図８に示すように、再生量が２５％以下について「１．２」、再生量が５０％以下について「１．０」、再生量が７５％以下について「１．０」、再生量が１００％以下について「０．８」を取得する。
【００７７】
さらに、各再生量について、ステップＳ５０４の処理が繰り返される。ステップＳ５０４においては、再生量ごとの推薦度を算出する。この推薦度は、ステップＳ５０２で算出された類似度（Ａ）と、ステップＳ５０３で取得された当該再生量の優先度（Ｂ）を乗算したものである。具体的には、類似度（Ａ）が「０．９」の場合、再生量が２５％以下について、推薦度「０．９×１．２＝１．０８」が算出される。同様に、再生量が５０％以下について「０．９」、再生量が７５％以下について「０．９」、再生量が１００％以下について「０．７２」が算出される。
【００７８】
このように、シリーズ作品推薦部１３および関連商品推薦部１４において、各再生量について推薦広告および関連広告の推薦度が算出されると、商品推薦部１２は、再生量ごとに、推薦度の高い広告を、機器５ａに送信するために、通信文を生成する。
【００７９】
広告配信部１５は、商品推薦部１２によって取得された、再生量ごとの広告の情報を、機器５ａに送信する。機器５ａにおいて作品が再生されている最中に、並行して広告が配信されることが好ましい。これにより、機器５ａにおいて、再生が停止または終了された際に、すぐに広告を表示することができるので、ユーザの購買意欲を損なわず、商品購入に導くことができる。
【００８０】
機器５ａにおいては、作品の再生が停止または終了されると、図１４に示す再生終了画面Ｐ１０１が表示される。再生終了画面Ｐ１０１には、作品推薦部Ｂ１０１と、メニュー表示画面Ｂ１０２が設けられる。メニュー表示画面Ｂ１０２は、メディアの再生等を指示するインタフェースである。作品推薦部Ｂ１０１に、本発明の最良の実施の形態において出力された広告が表示される。
【００８１】
作品推薦部Ｂ１０１においては、再生が終了または停止された際の再生量に応じた広告のみが表示される。作品推薦部Ｂ１０１においては、広告が一つずつ表示されても良いし、一覧形式で表示されても良い。この作品推薦部Ｂ１０１において、ユーザによって広告がクリックされると、その商品を購入するサイトにリンクされるようにしても良い。
【００８２】
このように、本発明の最良の実施の形態によれば、機器５ａ等において再生された作品について、その作品がシリーズ作品の場合、シリーズに関連する作品の広告を表示することができる。この際、機器５ａ等における再生量に応じて、推薦する作品を変更することができる。具体的には、再生量が少ない場合、前作を紹介し、再生量が多い場合、次作を紹介する。このように、再生量に基づいて、ユーザが次に視聴したい作品を想定して推薦することにより、ユーザの反応を得やすい広告を出力することができる。
【００８３】
具体的には、機器５ａ等でシリーズものの映画をＤＶＤで視聴した場合、半分以下で視聴を止めてしまったユーザには、前作をダウンロードレンタルできる広告を出すことができる。ユーザに前作を復習することにより、このシリーズ映画への興味を向上させることができる。また、ほぼ全てを見たユーザには、続編の映画の広告を出すことができる。これにより、ユーザを続編へと導くことができるので、映画配給会社において、シリーズ全体としての興行収入のアップが期待できる。
【００８４】
また、本発明の最良の実施の形態によれば、機器５ａ等において再生された作品について、関連する作品の広告を表示することができる。またこの広告は、再生量に応じて推薦度が設けられているので、再生量の少ないときに表示するのが効果的な広告、再生量の多いときに表示するのが効果的な広告など、広告の特性に応じて、推薦度を設定することができる。これにより、ユーザの視聴するタイミングに応じた広告の制作を誘導することができ、よりユーザにインパクトのある広告を出力することができる。
【００８５】
さらに、本発明の最良の実施の形態においては、情報提供サーバ１は、機器５ａにおいて作品の再生が始まるとともに作品の情報を取得して、機器５ａにおける作品の再生に並行して、広告情報を生成して、機器５ａに送信する。このとき、各再生量について算出した広告を予め機器５ａに送信することにより、機器５ａにおいて作品再生の停止または終了があった際に、すぐに広告を表示することができる。従って、ユーザの購買意欲が最も高まったタイミングで広告を表示することにより、ユーザの反応を得やすい広告を出力することができる。
【００８６】
（その他の実施の形態）
上記のように、本発明の最良の実施の形態によって記載したが、この開示の一部をなす論述および図面はこの発明を限定するものであると理解すべきではない。この開示から当業者には様々な代替実施の形態、実施例および運用技術が明らかとなる。
【００８７】
例えば、本発明の最良の実施の形態に記載した情報提供サーバは、図１に示すように一つのハードウェア上に構成されても良いし、その機能や処理数に応じて複数のハードウェア上に構成されても良い。また、既存の情報提供システム上に実現されても良い。
【００８８】
また、本発明の最良の実施の形態においては、メディアに記録された作品を再生する場合について説明したが、テレビ放送などにおいても適用しても良い。例えば、機器５ａにおいてテレビで映画を視聴した場合、半分以上見たユーザには、映画の関連グッズの広告が出るように、またほぼ最後まで視聴したユーザには続編のＤＶＤの広告が出るようにしても良い。
【００８９】
この際、放送局と協力することで、録画であってもＣＭをスキップさせないようにすることにより、最後まで再生したユーザにプレゼント等の特典を付与する画面を表示するようにしても良い。このとき、途中で視聴を止めたユーザには何も表示しないようにすることにより、ユーザにＣＭを視聴させるように導くことができる。
【００９０】
本発明はここでは記載していない様々な実施の形態等を含むことは勿論である。従って、本発明の技術的範囲は上記の説明から妥当な特許請求の範囲に係る発明特定事項によってのみ定められるものである。
【図面の簡単な説明】
【００９１】
【図１】図１は、本発明の最良の実施の形態に係る情報提供システムのシステム構成と、情報提供サーバの機能ブロックを説明する図である。
【図２】図２は、本発明の最良の実施の形態に係る情報提供システムの処理の概要を説明する図である。
【図３】図３は、本発明の最良の実施の形態に係る機器の処理を説明するフローチャートである。
【図４】図４は、本発明の最良の実施の形態に係る情報提供サーバのハードウェア構成を説明する図である。
【図５】図５は、本発明の最良の実施の形態に係る作品データのデータ構造とデータの一例を説明する図である。
【図６】図６は、本発明の最良の実施の形態に係るシリーズ推薦度データのデータ構造とデータの一例を説明する図である。
【図７】図７は、本発明の最良の実施の形態に係る広告データのデータ構造とデータの一例を説明する図である。
【図８】図８は、本発明の最良の実施の形態に係る関連商品優先度データのデータ構造とデータの一例を説明する図である。
【図９】図９は、本発明の最良の実施の形態に係る作品情報取得部による作品情報取得処理を説明するフローチャートである。
【図１０】図１０は、本発明の最良の実施の形態に係る商品推薦部による商品推薦処理を説明するフローチャートである。
【図１１】図１１は、本発明の最良の実施の形態に係る商品推薦部が出力する通信文の一例を説明する図である。
【図１２】図１２は、本発明の最良の実施の形態に係るシリーズ作品推薦部によるシリーズ作品推薦処理を説明するフローチャートである。
【図１３】図１３は、本発明の最良の実施の形態に係る関連商品推薦部による関連商品推薦処理を説明するフローチャートである。
【図１４】図１４は、本発明の最良の実施の形態に係る機器において表示される再生終了画面の一例である。
【符号の説明】
【００９２】
１  情報提供サーバ
５  機器
７  通信ネットワーク
１１  作品情報取得部
１２  商品推薦部
１３  シリーズ作品推薦部
１４  関連商品推薦部
１５  広告配信部
２１  作品データ記憶部
２２  シリーズ推薦度データ記憶部
２３  広告データ記憶部
２４  関連商品優先度データ記憶部
１０１  中央処理制御装置
１０２  ＲＯＭ
１０３  ＲＡＭ
１０４  入力装置
１０５  表示装置
１０６  通信制御装置
１０７  記憶装置
１０８  リムーバブルディスク
１０９  入出力インタフェース
１１０  バス
【図１】
2009135573.tif 000003
【図２】
2009135573.tif 000004
【図３】
2009135573.tif 000005
【図４】
2009135573.tif 000006
【図５】
2009135573.tif 000007
【図６】
2009135573.tif 000008
【図７】
2009135573.tif 000009
【図８】
2009135573.tif 000010
【図９】
2009135573.tif 000011
【図１０】
2009135573.tif 000012
【図１１】
2009135573.tif 000013
【図１２】
2009135573.tif 000014
【図１３】
2009135573.tif 000015
【図１４】
2009135573.tif 000016